(57)【要約】【課題】テレビジョン受像機において、複数の入力端子から入力された映像信号を自動的に選択し、映像信号の入力がない場合には、自動的に電源をオフすることにより、使い勝手の向上を図る。【解決手段】外部機器１１から映像信号が入力されると、制御部７はいずれの外部機器から映像信号が入力されたかを検知し（＃３）、最後に映像信号が入力された外部機器にモードを切り替える（＃５）。その後、別の外部機器から映像信号の入力がなく（＃７においてＮＯ）、所定時間に亘って映像信号の入力がない場合には（＃８においてＹＥＳ）、一つ前に映像信号が入力された外部機器にモードを切り替える（＃９）。全ての映像信号の入力がない場合には（＃１０においてＹＥＳ）、テレビジョン受像機１の電源をオフにする（＃１１）。【選択図】図３
2009049612.tif 000002
【特許請求の範囲】
【請求項１】
テレビジョン放送信号を受信する受信手段と、この受信手段によって受信された放送信号を処理して映像信号及び音声信号に分離する映像音声信号処理手段と、この映像音声信号処理手段によって分離された映像信号を出力する映像出力手段と、映像音声信号処理手段によって分離された音声信号を出力する音声出力手段と、上記各部を制御する制御手段と、相互に接続された外部機器から映像信号の入力を受ける映像信号入力手段とを備えたテレビジョン受像機において、
前記映像信号入力手段は、複数の外部機器と同時に接続可能とするための複数の入力端子と、この複数の入力端子を介して入力された複数種類の映像信号のうちいずれかの映像信号を選択して前記映像音声信号処理手段に入力する信号選択手段とを有し、
前記制御手段は、最後に前記外部機器から入力された映像信号を、前記信号選択手段に選択させ、現在選択されている映像信号が所定時間に亘って入力されない場合には、現在選択されている映像信号より一つ前に入力された種類の映像信号を前記信号選択手段に選択させることを特徴とするテレビジョン受像機。
【請求項２】
前記制御手段は、すべての入力端子から映像信号が所定時間に亘って入力されない場合には、前記受信手段によって受信された放送信号を選択して前記映像音声信号処理手段に入力することを特徴とする請求項１に記載のテレビジョン受像機。
【請求項３】
前記制御手段は、所定時間に亘って前記受信手段によって放送信号が受信されない場合には、受像機の電源をオフにすることを特徴とする請求項２に記載のテレビジョン受像機。
【発明の詳細な説明】
【技術分野】
【０００１】
本発明は、テレビジョン受像機に関するものである。
【背景技術】
【０００２】
従来から、テレビジョン受像機においては、複数の映像信号に対応する入力端子が備えられている。このようなテレビジョン受像機にあっては、いずれかの映像信号の選択を容易なものとするため、種々の提案がなされている。例えば、特許文献１には、最後に入力がなされた信号を優先的に選択するテレビジョン受像機が示されている。また、特許文献２には、チューニング電圧の変化に応じて外部入力を選択するテレビジョン受像機が示されている。また、特許文献３には、入力信号の有無を指定した順番で監視・選択するテレビジョン受像機が示されている。また、特許文献４には、全入力端子の信号状態を常時監視するテレビジョン受像機が示されている。また、特許文献５には、受信信号中に同期信号がない場合には、電源をオフするテレビジョン受像機が示されている。
【０００３】
【特許文献１】特開昭６１−１３８８３号公報
【特許文献２】特開平４−２３５４７８号公報
【特許文献３】特開２００１−９４８９０号公報
【特許文献４】特開２００１−２５５８６１号公報
【特許文献５】特開平７−３２２１６９号公報
【発明の開示】
【発明が解決しようとする課題】
【０００４】
しかしながら、上記特許文献１に示された技術においては、例えばユーザがＤＶＤ（Digital Versatile Disk）に記録された映像・音声を視聴した後、地上波放送を視聴したい場合であっても、最後に入力された外部機器からの信号を優先するため、手動で地上波放送受信モードに切り替える必要があり、使い勝手が悪い。また、上記特許文献２乃至４に示された技術においても、ユーザが手動で地上波放送受信モードに切り替える必要がある。また、上記特許文献５に示された技術においては、複数の入力端子から入力された映像信号を自動的に選択することができないため、使い勝手が悪い。
【０００５】
本発明は、上記課題を解決するためになされたものであり、複数の入力端子から入力された映像信号の中からユーザの希望に近い映像信号を自動的に選択し、映像信号の入力がない場合には、自動的に電源をオフすることにより、使い勝手の向上を図ったテレビジョン受像機を提供することを目的とする。
【課題を解決するための手段】
【０００６】
上記目的を達成するために請求項１の発明は、
テレビジョン放送信号を受信する受信手段と、この受信手段によって受信された放送信号を処理して映像信号及び音声信号に分離する映像音声信号処理手段と、この映像音声信号処理手段によって分離された映像信号を出力する映像出力手段と、映像音声信号処理手段によって分離された音声信号を出力する音声出力手段と、上記各部を制御する制御手段と、相互に接続された外部機器から映像信号の入力を受ける映像信号入力手段とを備えたテレビジョン受像機において、
前記映像信号入力手段は、複数の外部機器と同時に接続可能とするための複数の入力端子と、この複数の入力端子を介して入力された複数種類の映像信号のうちいずれかの映像信号を選択して前記映像音声信号処理手段に入力する信号選択手段とを有し、
前記制御手段は、最後に前記外部機器から入力された映像信号を、前記信号選択手段に選択させ、現在選択されている映像信号が所定時間に亘って入力されない場合には、現在選択されている映像信号より一つ前に入力された種類の映像信号を前記信号選択手段に選択させるものである。
【０００７】
請求項２の発明は、請求項１に記載のテレビジョン受像機において、
前記制御手段は、すべての入力端子から映像信号が所定時間に亘って入力されない場合には、前記受信手段によって受信された放送信号を選択して前記映像音声信号処理手段に入力するものである。
【０００８】
請求項３の発明は、請求項２に記載のテレビジョン受像機において、
前記制御手段は、所定時間に亘って前記受信手段によって放送信号が受信されない場合には、受像機の電源をオフにするものである。
【発明の効果】
【０００９】
請求項１の発明によれば、最後に外部機器から入力された映像信号が信号選択手段によって選択されるので、例えば、最後にいずれかの入力端子と接続された外部機器から入力された映像信号が自動的に選択されることになる。従って、ケーブル等を介して外部機器を入力端子に接続した後、テレビジョン受像機の入力モードを切り替えるといった手間が不要となるため、テレビジョン受像機の使い勝手が向上する。また、現在選択されている映像信号が所定時間に亘って入力されない場合には、現在選択されている映像信号より一つ前に入力された種類の映像信号が信号選択手段によって選択されるので、テレビジョン受像機の入力モードを切り替えるといった手間が不要となるため、テレビジョン受像機の使い勝手が向上する。また、例えば、外部機器が光ディスクプレーヤ等である場合、光ディスクの交換に伴い映像信号の入力が一時的に途絶えた場合であっても、テレビジョン受像機の入力モードの余計な切り替えはなされないので、テレビジョン受像機の使い勝手が悪化する事態も発生しない。
【００１０】
請求項２の発明によれば、すべての入力端子から映像信号が所定時間に亘って入力されない場合には、受信手段によって受信された放送信号が選択されるので、テレビジョン受像機の入力モードを切り替えるといった手間が不要となるため、テレビジョン受像機の使い勝手が向上する。
【００１１】
請求項３の発明によれば、所定時間に亘って受信手段によって放送信号が受信されない場合には、受像機の電源がオフにされるので、電源をオフにするといった手間が不要となり、テレビジョン受像機の使い勝手が向上する。
【発明を実施するための最良の形態】
【００１２】
本発明を実施するための実施形態について図面を参照して説明する。図１は、テレビジョン受像機の概略構成を示している。テレビジョン受像機１は、地上波放送信号等のテレビジョン放送信号を受信するチューナ（受信手段）２と、チューナ２によって受信された放送信号を復調するデコーダ３と、デコーダ３によって復調された放送信号を映像信号及び音声信号に分離する映像音声信号処理部（映像音声信号処理手段）４と、映像音声信号処理部４によって分離された映像信号を出力するモニタ画面を備えた映像出力部（映像出力手段）５と、映像音声信号処理部４によって分離された音声信号を出力するスピーカを備えた音声出力部（音声出力手段）６と、上記各部を制御するＣＰＵ等の制御部（制御手段）７と、外部機器１１から映像信号の入力を受ける映像信号入力部８と、離れた場所から各種の指令を遠隔的に入力するためにユーザによって操作されるリモコン装置９と、リモコン装置９から送信された赤外線信号を受信する赤外線受信部１０を有している。
【００１３】
図２は、テレビジョン受像機１の構成のうち、特に映像信号入力部８等の詳細について示している。映像信号入力部８は、専用のケーブル１２を介して外部機器１１と相互に接続される。外部機器１１としては、例えば、ＤＶＤプレーヤ１１ａ、ＤＶＤレコーダ１１ｂ、パーソナルコンピュータ１１ｃ、ハードディスクレコーダ１１ｄ等が挙げられる。映像信号入力部８は、ＤＶＤプレーヤ１１ａが接続されるコンポジット入力端子８ａと、ＤＶＤレコーダ１１ｂが接続されるＤ−ｓｕｂ入力端子８ｂと、パーソナルコンピュータ１１ｃが接続されるＤＶＩ入力端子８ｃと、ハードディスクレコーダ１１ｄが接続されるＨＤＭＩ入力端子８ｄと、制御部７から出力された制御信号に基づいて、入力端子８ａ、８ｂ、８ｃ、８ｄを介して入力された複数の映像信号のうちいずれかの映像信号を選択して映像音声信号処理部４に入力する信号選択部（信号選択手段）８ｚ等を有している。
【００１４】
次に、テレビジョン受像機１の動作について、図３に示したフローチャートを参照して説明する。テレビジョン受像機１は、まず、ユーザによって自動モード切り替え機能についての各種設定がなされる（＃１）。その後、外部機器１１が映像信号入力部８とがケーブル１２を介して接続され（＃２）、外部機器１１から映像信号が入力されると、制御部７は信号選択部８ｚを介していずれかの外部機器から映像信号が入力されたことを検知する（＃３）。そして、＃１において自動モード切り替え機能がオンになっている場合（＃４においてＹＥＳ）、最後に外部機器から入力された種類の映像信号を、信号選択部８ｚに選択させることにより、この最後に映像信号が入力された外部機器にモードを切り替え（＃５）、視聴が可能となる（＃６）。その後、ユーザによって別の外部機器が操作されて、その機器から映像信号の入力があった場合には（＃７においてＹＥＳ）、＃５に戻り、最後に映像信号が入力された外部機器にモードを切り替える。別の外部機器から映像信号の入力がなく（＃７においてＮＯ）、所定時間に亘って映像信号の入力がない場合には（＃８においてＹＥＳ）、現在選択されている映像信号より一つ前に入力された種類の映像信号を信号選択部８ｚに選択させることにより、一つ前に映像信号が入力された外部機器にモードを切り替える（＃９）。この＃９においては、外部機器１１から入力された映像信号を映像音声信号処理部４に入力することなく、チューナ２によって受信された地上波放送を選択して映像音声信号処理部４に入力し、映像音声信号処理部４に処理させるようにしてもよい。ここで、一つ前に映像信号が入力された外部機器１１にモードを切り替えるか、地上波放送を選択するかは、＃１において設定された内容によるものとする。その後、制御部７は、地上波放送が選択されている状態で、所定時間に亘ってチューナ２によって放送信号が受信されない場合（すなわち、全ての映像信号の入力がない場合）には（＃１０においてＹＥＳ）、テレビジョン受像機１の電源をオフにする（＃１１）。
【００１５】
以上のように、本実施形態のテレビジョン受像機１によれば、最後に外部機器１１から入力された映像信号が信号選択部８ｚによって選択されるので、例えば、最後にいずれかの入力端子と接続された外部機器１１から入力された映像信号が自動的に選択されることになる。従って、ケーブル等を介して外部機器１１を入力端子に接続した後、テレビジョン受像機の入力モードを切り替えるといった手間が不要となるため、テレビジョン受像機の使い勝手が向上する。また、現在選択されている映像信号が所定時間に亘って入力されない場合には、現在選択されている映像信号より一つ前に入力された種類の映像信号が信号選択部８ｚによって選択されるので、テレビジョン受像機の入力モードを切り替えるといった手間が不要となるため、テレビジョン受像機の使い勝手が向上する。また、例えば、外部機器１１が光ディスクプレーヤ等である場合、光ディスクの交換に伴い映像信号の入力が一時的に途絶えた場合であっても、テレビジョン受像機の入力モードの余計な切り替えはなされないので、テレビジョン受像機の使い勝手が悪化するような事態も発生しない。
【００１６】
また、すべての入力端子８ａ〜８ｄから映像信号が所定時間に亘って入力されない場合には、チューナ２によって受信された放送信号が選択されるので、テレビジョン受像機の入力モードを切り替えるといった手間が不要となるため、テレビジョン受像機の使い勝手が向上する。また、所定時間に亘ってチューナ２によって放送信号が受信されない場合には、テレビジョン受像機１の電源がオフにされるので、電源をオフにするといった手間が不要となり、テレビジョン受像機の使い勝手が向上する。
【００１７】
なお、本発明は上記実施形態の構成に限られることなく、少なくとも、最後に外部機器１１から入力された映像信号を選択し、映像出力部５に出力させるように構成されていればよい。
【図面の簡単な説明】
【００１８】
【図１】本発明の第１実施形態によるテレビジョン受像機の外観を示す図。
【図２】同テレビジョン受像機の内部構成を示すブロック図。
【図３】テレビジョン受像機の動作を示すフローチャート。
【符号の説明】
【００１９】
１    テレビジョン受像機
５    映像出力部（映像出力手段）
７    制御部（制御手段）
８    映像信号入力部
８ｚ    信号選択部（信号選択手段）
【図１】
2009049612.tif 000003
【図２】
2009049612.tif 000004
【図３】
2009049612.tif 000005